(57)【要約】【課題】トレイカバーの開閉動作を行わせるのに、ばねを用いる必要をなくすることによって、ばねの脱落に伴って発生するおそれのある回路ショート、動作不良等の問題を解決し、併せて、光ディスク装置の組立ラインでばねを組み付けるための煩わしい作業を省略するとともに部品点数を削減した光ディスク装置を提供する。【解決手段】トレイカバー３の一端側を前面パネル１に回転可能に軸止する支持軸１５と、トレイカバー３の他端側とアーム部材４０の一端側とを回転可能に軸止する回転軸３４と、アーム部材４０の他端側に固設されたカムフォロア４０１と、ディスクトレイ２１に設けられてカムフォロア４０１と係合するカム溝２１１とを備える。ディスクトレイ２１の直進移動によって、カムフォロア４０１がカム溝２１１に従動すると、アーム部材４０は遥動しながら直進移動して、支持軸１５を中心としてトレイカバー３を回転させる。【選択図】図４
2008293598.tif 000002
【特許請求の範囲】
【請求項１】
装置本体の前面に設けられた前面パネルと、該前面パネルの所定箇所に設けられた開口部を出入りするディスクトレイと、該ディスクトレイの直進移動に連動させて前記開口部の開閉を行うトレイカバーとを有する光ディスク装置において、
前記トレイカバーの一端側を装置本体に回転可能に軸止する支持軸と、前記トレイカバーの他端側とアーム部材の一端側とを回転可能に軸止する回転軸と、前記アーム部材の他端側に固設されたカムフォロアと、前記ディスクトレイに設けられて前記カムフォロアと係合するカム溝とを備え、
前記ディスクトレイの直進移動によって、前記カムフォロアが前記カム溝に従動すると、前記アーム部材は揺動しながら直進移動して、前記支持軸を中心にして前記トレイカバーを回転させることを特徴とする光ディスク装置。
【請求項２】
前記カム溝は、前記ディスクトレイのメディアを搭載する面と反対側の底面に形成した有底溝であることを特徴とする請求項１に記載の光ディスク装置。
【請求項３】
前記カム溝は、前記カムフォロアが当接するカム面を有する凹形状であり、凹形状カムの略変曲点において、前記カムフォロアが従動する方向と逆方向に向いて突出する面を前記カム面に形成されていることを特徴とする請求項１または請求項２に記載の光ディスク装置。
【請求項４】
前記アーム部材は、前記カムフォロアと前記回転軸を一体に成形したことを特徴とする請求項１から請求項３のいずれかに記載の光ディスク装置。
【発明の詳細な説明】
【技術分野】
【０００１】
本発明は、記録メディアに情報を記録したり、記録メディアに記録された情報を再生したりする情報記録再生装置に関し、特に、記録メディアとしての光ディスクが載置されるディスクトレイの移動動作に連動させて開口部の開閉を行うトレイカバーの開閉機構に関する。
【背景技術】
【０００２】
現在、音響機器、映像機器等の電子機器の多くは記録メディアとして光ディスクが採用されている。光ディスクを記録メディアとして用いる電子機器（光ディスク装置）として、ディスクトレイに光ディスクを載置して、ディスクトレイを挿入することで、取り出し位置から再生／記録位置に搬送し、又はその逆に搬送して排出するトレイローディング方式を採用しているものが多く用いられている。例えば光ディスク装置がＤＶＤ（Ｄｉｇｉｔａｌ  Ｖｅｒｓａｔｉｌｅ  Ｄｉｓｃ）プレーヤの場合、装置に備えられたボタンや、リモートコントローラからの入力によってトレイの挿入、排出が行われる。
【０００３】
このＤＶＤプレーヤの前面のディスクトレイが挿入、排出される部分には開口部が形成されており、開口部にはディスクトレイが装置内部に挿入されている状態のときに、内部が見えないようにするとともに、外部からの異物の進入を抑制するためのトレイカバーが取り付けられている。このトレイカバーはディスクトレイが排出されるときはディスクトレイの動きにあわせて開き、ディスクトレイが挿入されるときはディスクトレイの動きにあわせて閉じるように形成されている。
【０００４】
ディスクトレイに連動させてトレイカバーを開閉するには、トレイカバーをばねにより閉方向に常時付勢しておき、開口部の外側へ押し出されているディスクトレイがその内側へ引き込まれる動作に連動して、トレイカバーをばねの付勢によって開位置から閉位置にまで移動させるという構成が一般的に採用されている（例えば、特許文献１参照）。
【０００５】
しかしながら、上掲の特許文献１では、トレイカバーの開閉動作を行わせるためにばねを用いるので、そのばねが何らかの原因で装置の内部に脱落してしまい、内蔵されている配線基板の回路をショートさせたり、あるいは、機構部分に入り込んで動作不良を招いたりするおそれがある。また、光ディスク装置の組立ラインでばねを組み付けるための煩わしい作業が余分に必要になるという不都合もあった。
【０００６】
そこで、従来、ディスクトレイの移動方向に沿った両端辺にそれぞれラック状ギヤを設けて、トレイカバーの両端付近にそれぞれ支持レバーを形成し、その支持レバーの回動軸間にシャフトを連結し、そのシャフトに設けたピニオンギヤがラック状ギヤに噛み合う構成として、ディスクトレイの移動によってラック状ギヤがピニオンギヤを回転させることにより、トレイパネルを開閉動作させることが知られている（例えば、特許文献２参照）。
【０００７】
しかしながら、上述した特許文献２では、ディスクトレイの両端辺にそれぞれラック状ギヤとそれらに噛み合うピニオンギヤとを設けているので、トレイカバーの開閉機構を構成には部品数が多くなり、またラック状ギヤとピニオンギヤの高価な部品を用いることになり、生産コスト上高くなるという不都合があった。
【特許文献１】特開２００３−５１１８１号公報（段落［０００６］、図１、図２）
【特許文献２】特開２００５−３０２１７５号公報（段落［０００８］、図１、図４）
【発明の開示】
【発明が解決しようとする課題】
【０００８】
本発明は、上記のような課題を解決するためになされたものであり、本発明は、トレイカバーの開閉動作を行わせるのに、ばねを用いる必要をなくすることによって、ばねの脱落に伴って発生するおそれのある回路ショート、動作不良等の問題を解決し、併せて、光ディスク装置の組立ラインでばねを組み付けるための煩わしい作業を省略するとともに部品点数を削減した光ディスク装置を提供することを目的とする。
【課題を解決するための手段】
【０００９】
上記目的を達成するために本発明は、装置本体の前面に設けられた前面パネルと、該前面パネルの所定箇所に設けられた開口部を出入りするディスクトレイと、該ディスクトレイの直進移動に連動させて前記開口部の開閉を行うトレイカバーとを有する光ディスク装置において、前記トレイカバーの一端側を装置本体に回転可能に軸止する支持軸と、前記トレイカバーの他端側とアーム部材の一端側とを回転可能に軸止する回転軸と、前記アーム部材の他端側に固設されたカムフォロアと、前記ディスクトレイに設けられて前記カムフォロアと係合するカム溝とを備え、前記ディスクトレイの直進移動によって、前記カムフォロアが前記カム溝に従動すると、前記アーム部材は揺動しながら直進移動して、前記支持軸を中心にして前記トレイカバーを回転させることを特徴としている。
【００１０】
この構成によると、ディスクトレイの排出の操作によりディスクトレイが排出方向に直進移動すると、アーム部材は、カム溝に沿って遥動しながらディスクトレイと同方向に直進移動して、開口部を開く方向にトレイカバーを回転させる。一方、ディスクトレイの挿入の操作によりディスクトレイが挿入方向に直進移動すると、アーム部材は、カム溝に沿って遥動しながらディスクトレイと同方向に直進移動して、開口部を閉じる方向にトレイカバーを回転させる。
【００１１】
また、本発明は、上記の構成の光ディスク装置において、前記カム溝は、前記ディスクトレイのメディアを搭載する面と反対側の底面に形成した有底溝であることを特徴としている。この構成によると、合成樹脂等のディスクトレイの底面にカム溝を一体に成形することができる。またディスクトレイの底面の広い面を利用してカム溝を形成するので、カム溝とカムフォロアによる圧力角が小さくなる。
【００１２】
また、本発明は、上記の構成の光ディスク装置において、前記カム溝は、前記カムフォロアが当接するカム面を有する凹形状であり、凹形状カムの略変曲点において、前記カムフォロアが従動する方向と逆方向に向いて突出する面を前記カム面に形成されていることを特徴としている。この構成によると、カムフォロアがカムの変曲点通過する際に、突出する面を乗り越えて移動すると、逆戻りするような不安定な移動が抑制され、トレイカバーが確実に開閉する。
【００１３】
また、本発明は、上記の構成の光ディスク装置において、前記アーム部材は、前記カムフォロアと前記回転軸を一体に成形したことを特徴としている。この構成によると、合成樹脂等の廉価な部品を用いて部品点数を削減することができる。
【発明の効果】
【００１４】
本発明によると、トレイカバーの一端側を支持軸により装置本体に回転可能に軸止し、トレイカバーの他端側とアーム部材の一端側とを回転軸により回転可能に軸止するとともに、アーム部材の他端側にカムフォロアと固設して、該カムフォロアをディスクトレイに設けたカム溝に係合させている。このために、ディスクトレイが直進移動すると、アーム部材は、カム溝に沿って遥動しながら直進移動して、トレイカバーを回転して開閉させるので、ばねを用いる必要がなくなり、ばねの脱落に伴って発生するおそれのある回路ショート、動作不良等を防止することができる。併せて、光ディスク装置の組立ラインでばねを組み付けるための煩わしい作業を省略するとともに部品点数を削減させることができる。
【発明を実施するための最良の形態】
【００１５】
以下に本発明の実施形態について図面を参照して説明するが、本発明は、この実施形態に限定されない。本発明の実施形態は発明の最も好ましい形態を示すものであり、また発明の用途やここで示す用語等はこれに限定されるものではない。
【００１６】
図１は、本発明の実施形態である光ディスク装置を示す平面図である。図１に示す光ディスク装置としてのＤＶＤプレーヤＰＬは、前面パネル１と、ＤＶＤメディアを再生するＤＶＤプレーヤユニット２と、ＤＶＤメディアを載置するディスクトレイ２１とを有している。前面パネル１にはディスクトレイ２１が前後進するときに通過する開口部１１と、開口部１１を開閉するトレイカバー３と、ＤＶＤメディアを挿入、排出するためのメディアボタン１２と、電源ボタン１３と、ＤＶＤプレーヤＰＬの状態を示す表示部１４とを有している。
【００１７】
図２は、本発明の実施形態である光ディスク装置を示す断面図であり、図３は、本発明の実施形態である光ディスク装置の前面パネルを背面側から見た図である。図２に示すように、ＤＶＤプレーヤユニット２には、開口部１１を通過して外部に排出され、上部にＤＶＤメディアを載置または取り除くことで、ＤＶＤメディアを挿入排出するディスクトレイ２１を備えている。また、図示は省略しているが、ＤＶＤプレーヤユニット２にはＤＶＤメディアにレーザ光を照射する光ヘッド、ＤＶＤメディアを回転駆動するディスク駆動機構等のＤＶＤメディアを再生するための装置が備えられている。開口部１１の上部にはトレイカバー３が閉じるときに、閉じすぎないようにトレイカバー３を停止する停止リブ１１１が備えられている。
【００１８】
図２及び図３に示すように、トレイカバー３は、矩形形状に形成された本体部３１と、本体部３１の側面（図３における左側）から延びた軸受け部３２と、本体部３１の軸受け部３２とは反対側の側面（図３における右側）に設けた軸受けリブ３３を備えている。
【００１９】
軸受け部３２は、前面パネル１に固設した支持軸１５に回転可能に軸止されている。本体部３１が支持軸１５を中心にして回転して、開口部１１を開閉可能としている。支持軸１５をトレイカバー３に設け、軸受け部３２を前面パネル１に設けてもよい。また、軸受け部３２または支持軸１５は前面パネル１の側面側に設けてもよい。
【００２０】
軸受けリブ３３は、回転軸３４によりアーム部材４０の一端側で相互に回転可能であるように軸止されている。図３に示すように、アーム部材４０は、細長い板状であり、その他端側にはカムフォロア４０１が固設され、ディスクトレイ２１の底面側に配設されている。回転軸３４はカムフォロア４０１とともにアーム部材４０と一体に形成し、その回転軸３４を軸受けリブ３３に嵌めて、軸受けリブ３３とアーム部材４０を相互に回転可能にしても良い。
【００２１】
ディスクトレイ２１は、不図示のモータにより駆動され、前面パネル１の開口部１１に対して図２に示す矢印方向に直進移動するように構成されている。ディスクトレイ２１は、その上面にはメディアを載置するトレイが形成され、その底面にはアーム部材４０のカムフォロア４０１に係合するカム溝２１１が形成されている。カム溝２１１は有底の溝である。
【００２２】
図４は、本発明の実施形態である光ディスク装置のディスクトレイ２１を底面側から見た図である。なお、図４はディスクトレイ２１が装置内に挿入され、トレイカバー３が開口部１１を閉鎖している状態を示している。図４を用いてディスクトレイ２１の底面に形成したカム溝２１１と、カム溝２１１に係合するカムフォロア４０１とについて詳述する。
【００２３】
カム溝２１１は、前面パネル１側に凹形状をしたカムであり、ディスクトレイ２１が図４に示す矢印方向に直進移動すると、カムフォロア４０１を点Ａ、点Ｂ及び点Ｃ（カムフォロア４０１の中心点で図４に十字印で示す）と連続的にカムに沿って案内する。カムフォロア４０１がカムに従動すると、カムフォロア４０１を固設したアーム部材４０が連動する。ここでアーム部材４０は回転軸３４と支持軸１５とに拘束されてトレイカバー３を作動させる。つまりは、アーム部材４０が軸受けリブ３３の回転軸３４を介してトレイカバー３を回転可能に軸止して、トレイカバー３が支持軸１５により装置本体に回転可能に軸止されているので、アーム部材４０は、カム形状の点Ａ、点Ｂ及び点Ｃに沿って移動すると、支持軸１５を中心としてトレイカバー３を回転させる。
【００２４】
ディスクトレイ２１が図４に示す矢印方向（排出方向）に移動すると、カムフォロア４０１がカム溝２１１の点Ａから点Ｂを通過して点Ｃに従動し、一方ディスクトレイ２１が図４に示す矢印と逆方向（挿入方向）に移動すると、カムフォロア４０１がカム溝２１１の点Ｃから点Ｂを通過して点Ｃに従動する。ここで点Ｂは凹形状のカム溝２１１の変曲点であるために、部品製作及び組立誤差に起因して、点Ｂにおいてディスクトレイ２１が傾いて直進移動すると、例えば、図４に示す矢印方向（排出方向）にディスクトレイ２１が移動して、カムフォロア４０１が点Ｂから点Ｃ方向に従動しなくてはならないところが、カムフォロア４０１が点Ｂにおいて点Ａ方向に逆戻りするおそれがある。また、ディスクトレイ２１が図４に示す矢印と逆方向（挿入方向）に移動する場合でも、カムフォロア４０１が点Ｂから点Ａ方向に従動しなくてはならないところが、カムフォロア４０１が点Ｂにおいて点Ｃ方向に逆戻りするおそれがある。
【００２５】
そこで、上述のカムフォロア４０１の逆戻りを解消するため、図５に示す構成をカム溝２１１に設けている。図５は、図４に示すカム溝２１１の点Ｂ付近のカム形状を拡大して示す模式図である。なお、白抜き矢印はディスクトレイ２１の直進移動方向、及び実線の矢印はディスクトレイ２１の白抜き矢印方向の直進移動に応じてカムフォロア４０１がカム溝２１１に沿って移動する方向を示す。
【００２６】
カムフォロア４０１とカム溝２１１には、それぞれの部品製作・組立の誤差、また互いに滑らに作動できるように、カムフォロア４０１の移動方向と垂直である方向には空隙Δ
が設けられている。
【００２７】
図５に示す白抜き矢印方向（排出方向）にディスクトレイ２１が直進移動するときには、カムフォロア４０１はカム溝２１１の一方のカム面２１１ａに当接しながら移動するが、変曲点Ｂ近辺において、その当接するカム面２１１ａには三角形状の突起２１２ａが形成されている。突起２１２ａはその高さΔａが空隙Δより小さく、三角形状の突起２１２ａの頂点位置より図５に示す左側の面、つまりカムフォロア４０１の移動方向と逆方向に向いた面がカムフォロア４０１の外周に倣うような面２１３ａであり、他方の面が勾配の緩い傾斜面２１４ａで形成されている。
【００２８】
カムフォロア４０１が点ａ方向から点ｂに向かって移動すると、カム面２１１ａに当接していたカムフォロア４０１が傾斜面２１２ａに当接しながら図５に示す矢印Ｘ方向に移動する。次に高さΔａの当接点では、その高さΔａが空隙Δより小さいので、カムフォロ
ア４０１が高さΔａの当接点を乗り越えて、傾斜面２１３ａに至る。ここでは、ディスク
トレイ２１が傾いて直進移動して、カムフォロア４０１に図５に示す矢印Ｘと逆の方向に移動させる力が作用しても、カムフォロア４０１が傾斜面２１３ａに当接して、図５に示す矢印Ｘと逆の方向の移動が阻止される。さらにディスクトレイ２１が直進移動すると、その直進移動によるカム面２１１ａに作用する力によりカムフォロア４０１が図５に示す矢印Ｘ方向に移動する。
【００２９】
図５に示す白抜き矢印と逆方向（挿入方向）にディスクトレイ２１が直進移動するときには、上述のカム面２１１ａと対向するカム面２１１ｂに、三角形状の突起２１２ｂに形成すると良い。突起２１２ｂはその高さΔｂが空隙Δより小さく、三角形状の突起２１２
ｂの頂点位置より図５に示す右側の面、つまりカムフォロア４０１の移動方向と逆方向に向いた面がカムフォロア４０１の外周に倣うような面２１３ｂにして、他方の面が勾配の緩い傾斜面２１４ｂで形成されている。
【００３０】
カムフォロア４０１が点ｃ方向から点ｂに向かって移動すると、カム面２１１ｂに当接していたカムフォロア４０１が傾斜面２１２ｂに当接しながら図５に示す矢印Ｘと逆方向に移動する。次に高さΔｂの当接点では、カムフォロア４０１が高さΔｂの当接点を乗り
越えて、傾斜面２１３ｂに至る。ここでは、ディスクトレイ２１が傾いて直進移動して、カムフォロア４０１に図５に示す矢印Ｘ方向に移動させる力が作用しても、カムフォロア４０１が傾斜面２１３ｂに当接して、図５に示す矢印Ｘ方向の移動が阻止される。さらにディスクトレイ２１が直進移動すると、その直進移動によるカム面２１１ｂに作用する力によりカムフォロア４０１が図５に示す矢印Ｘと逆方向に移動する。
【００３１】
面２１３ａ、２１３ｂは、カムフォロア４０１の外周に倣うような円弧面に替えて、傾斜面、または垂直面であっても良く、カムフォロア４０１の逆戻り移動を阻止するように、カムフォロア４０１が従動する方向と逆方向に向いて突出する面であれば良い。
【００３２】
次に、ディスクトレイ２１の排出及び挿入時のトレイカバー３の開閉動作を図４及び図６を用いて説明する。図６（ａ）と図６（ｃ）は、ディスクトレイ２１の排出及び挿入時の動作に伴いトレイカバー３が開閉する過程を示す模式図である。
【００３３】
図４に示すトレイカバー３が閉鎖状態にあるときに、メディアボタン１２が押されると、ディスクトレイ２１が図４に示す矢印方向に前面パネル１に向けて直進移動する。ディスクトレイ２１の直進移動により、図６（ａ）に示すように、カム溝２１１も直進移動すると、カム溝２１１に係合したカムフォロア４０１がカム溝２１１に従動する。カムフォロア４０１がカム溝２１１に沿うように従動すると、カムフォロア４０１を固設したアーム部材４０は、カム溝２１１に沿うよう移動しながら図６（ａ）に示す矢印方向に移動する。従ってトレイカバー３は、アーム部材４０に押されて支持軸１５を中心として回転する。
【００３４】
さらにトレイカバー３が直進移動して、図６（ａ）から図６（ｂ）に至る途中では、図５に示すようにカムフォロア４０１がカム面２１１ａに形成した突起２１２ａを乗り越えてカム面２１１ａに従動し、図６（ｂ）に示すように、アーム部材４０がカム溝２１１に沿うよう移動しながら図６（ｂ）に示す矢印方向に移動して、トレイカバー３はアーム部材４０に押されて支持軸１５を中心としてさらに回転する。
【００３５】
さらにトレイカバー３が直進移動すると、図６（ｃ）に示すように、カムフォロア４０１がカム溝２１１の端点に至り、トレイカバー３はアーム部材４０に押されて支持軸１５を中心として回転して全開する。
【００３６】
一方、全開しているトレイカバー３を閉じるには、メディアボタン１２が押されると、ディスクトレイ２１が図６（ｃ）に示す矢印方向に前面パネル１に向けて直進移動する。ディスクトレイ２１の直進移動により、カムフォロア４０１がカム溝２１１従動して、アーム部材４０がカム溝２１１に沿うよう移動しながら図６（ｃ）に示す矢印方向に移動して、図６（ｂ）及び図６（ａ）に示すように、トレイカバー３はアーム部材４０に引かれて支持軸１５を中心として順次回転して、図４に示すようにトレイカバー３が開口部１１を閉鎖する。
【００３７】
上記の実施形態によると、装置本体の前面に設けられた前面パネル１と、前面パネル１の所定の箇所に設けられた開口部１１を出入りするディスクトレイ２１と、ディスクトレイ２１の直進移動に連動させて開口部１１の開閉を行うトレイカバー３を有する光ディスク装置において、トレイカバー３の一端側を前面パネル１に回転可能に軸止する支持軸１５と、トレイカバー３の他端側とアーム部材４０の一端側とを回転可能に軸止する回転軸３４と、アーム部材４０の他端側に固設されたカムフォロア４０１と、ディスクトレイ２１に設けられてカムフォロア４０１と係合するカム溝２１１とを備え、ディスクトレイ２１の直進移動によって、カムフォロア４０１がカム溝２１１に従動すると、アーム部材４０は遥動しながら直進移動して、支持軸１５を中心としてトレイカバー３を回転させる。
【００３８】
この構成によって、ばねを用いるこなく、ディスクトレイ２１に連動してトレイカバー３の開閉動作をおこなえるので、ばねの脱落に伴って発生するおそれのある回路ショート、動作不良等の問題を解決し、併せて、光ディスク装置の組立ラインでばねを組み付けるための煩わしい作業を省略するとともに部品点数を削減することができる。
【００３９】
また、カム溝２１１は、ディスクトレイ２１のメディアを搭載する面と反対側の底面に形成した有底溝である。この構成によると、合成樹脂等のディスクトレイ２１の底面にカム溝２１１を一体に成形することができるので、廉価な部品を用いて部品点数を削減することができる。
【００４０】
また、この構成によると、ディスクトレイ２１の底面は広く、その広い面を利用してカム溝２１１を形成するので、カム溝２１１とカムフォロア４０１による圧力角が小さくなり、カムフォロア４０１が滑らに従動するので、トレイカバー３は安定して開閉動作を行う。また、その広い面を利用してカム溝２１１を形成するので、トレイカバー３の開閉の初期を遅くする等のトレイカバー３の開閉速度を変えるようなカム形状にすることも可能である。
【００４１】
また、カム溝２１１の略変曲点において、カムフォロア４０１が当接するカム面２１１ａ及び２１１ｂに突起２１２ａ及び２１２ｂを形成して、突起２１２ａ及び２１２ｂの、カムフォロア４０１の従動する方向と逆方向の面２１３ａ及び２１３ｂに突出する面を形成した。このことによって、凹状カム溝の変曲点に突起２１２ａ及び２１２ｂを形成すると、カムフォロア４０１が変曲点において逆戻りするような不安定な移動を抑制され、トレイカバー３は確実に開閉することができる。
【００４２】
また、アーム部材４０は、カムフォロア４０１と回転軸３４を一体に成形した。この構成によると、合成樹脂等の廉価な部品を用いて部品点数を削減することができる。
【００４３】
上記実施形態において、光ディスク装置としてＤＶＤメディアの再生を行うＤＶＤプレーヤを採用しているが、それに限定されるものではなく、トレイを用いて光ディスクを挿入・排出する光ディスク装置（例えば、ＣＤ、ＬＤ等）を広く採用することができる。
【産業上の利用可能性】
【００４４】
本発明は、ＤＶＤ、ＣＤ、ＬＤ等のトレイを用いてメディアの挿入及び排出を行うことができる光ディスク装置において適用することができる。
【図面の簡単な説明】
【００４５】
【図１】は、本発明の実施形態である光ディスク装置を示す平面図である。
【図２】は、本発明の実施形態である光ディスク装置を示す断面図である。
【図３】は、本発明の実施形態である光ディスク装置の前面パネルを背面側から見た図である。
【図４】は、本発明の実施形態である光ディスク装置のディスクトレイを底面側から見た模式図である。
【図５】は、本発明の実施形態である光ディスク装置のカム溝の形状を示す模式図である。
【図６】は、本発明の実施形態である光ディスク装置のトレイカバーが開閉していく過程を示す模式図である。
【符号の説明】
【００４６】
ＰＬ  ＤＶＤプレーヤ
１  前面パネル
１１  開口部
１１１  停止リブ
１２  メディアボタン
１３  電源ボタン
１４  表示部
１５  支持軸
２  ＤＶＤプレーヤユニット
２１  ディスクトレイ
２１１  カム溝
２１１ａ、２１１ｂ  カム面
２１２ａ、２１２ｂ  突起
２１３ａ、２１３ｂ  面
３  トレイカバー
３１  本体部
３２  軸受け部
３３  軸受けリブ
３４  回転軸
４０  アーム部材
４０１  カムフォロア
【図１】
2008293598.tif 000003
【図２】
2008293598.tif 000004
【図３】
2008293598.tif 000005
【図４】
2008293598.tif 000006
【図５】
2008293598.tif 000007
【図６】
2008293598.tif 000008